(57)【要約】【課題】金券またはクーポン券の使用可否を容易に把握することを可能とする技術を提供する。【解決手段】情報処理装置１０は、金券またはクーポン券を被写体に含む画像を取得する画像取得部１１０と、取得した画像を解析する画像解析部１２０と、使用可能な金券またはクーポン券の照合用データと画像の解析結果とを比較して、被写体の金券またはクーポン券が使用可能か否かを判断する判断部１３０と、を備える。【選択図】図１
2017157005.tif 000002
【特許請求の範囲】
【請求項１】
金券またはクーポン券を被写体に含む画像を取得する画像取得手段と、
前記取得した画像を解析する画像解析手段と、
使用可能な金券またはクーポン券の照合用データと前記画像の解析結果とを比較して、前記被写体の金券またはクーポン券が使用可能か否かを判断する判断手段と、
を備える情報処理装置。
【請求項２】
前記画像解析手段は、
前記取得した画像の特徴量を抽出し、
前記判断手段は、
使用可能な金券またはクーポン券の特徴量を前記照合用データとして記憶する記憶手段の中に前記抽出した特徴量と一致すると推定できる特徴量が存在するか否かによって、前記被写体の金券またはクーポン券が使用可能か否かを判断する、
請求項１に記載の情報処理装置。
【請求項３】
前記金券またはクーポン券には、その金券またはクーポン券の一連の取扱操作を示す取扱情報が紐付けられており、
前記情報処理装置は、
前記被写体の金券またはクーポン券が使用可能と判断された場合、その金券またはクーポン券に紐付けられた取扱情報を出力する出力手段を更に備える、
請求項１または２に記載の情報処理装置。
【請求項４】
前記金券またはクーポン券には、釣銭の払出可否を示す釣銭情報が紐付けられており、
前記情報処理装置は、
前記被写体の金券またはクーポン券が使用可能と判断された場合、その金券またはクーポン券に紐付けられた釣銭情報を出力する出力手段を更に備える、
請求項１から３のいずれか１項に記載の情報処理装置。
【請求項５】
金券またはクーポン券には、特定の商品または特定の商品分類を示す特定商品情報が紐付けられており、
前記判断手段は、
前記被写体の金券またはクーポン券に紐付けられた特定商品情報と、精算対象として登録されている商品の情報を含む精算情報とを更に取得し、
前記取得した特定商品情報が示す商品または前記取得した特定商品情報が示す商品分類に属する商品が、前記取得した精算情報に含まれる商品の中に存在するか否かによって、前記被写体の金券またはクーポン券が使用可能か否かを判断する、
請求項１から４のいずれか１項に記載の情報処理装置。
【請求項６】
金券またはクーポン券には、その金券またはクーポン券を使用可能な場所を示す使用可能場所情報が紐付けられており、
前記判断手段は、
前記被写体の金券またはクーポン券に紐付けられた使用可能場所情報と、前記情報処理装置の設置場所を特定可能な場所特定情報とを更に取得し、
前記被写体の金券またはクーポン券に紐付けられた使用可能場所情報が示す場所の中に、前記場所特定情報により特定される場所が含まれるか否かによって、当該被写体の金券またはクーポン券が使用可能か否かを判断する、
請求項１から５のいずれか１項に記載の情報処理装置。
【請求項７】
金券またはクーポン券には、有効期限を示す有効期限情報が紐付けられており、
前記判断手段は、
前記被写体の金券またはクーポン券に紐付けられた有効期限情報に基づいて、前記被写体の金券またはクーポン券が使用可能か否かを判断する、
請求項１から６のいずれか１項に記載の情報処理装置。
【請求項８】
コンピュータが、
金券またはクーポン券を被写体に含む画像を取得し、
前記取得した画像を解析し、
使用可能な金券またはクーポン券の照合用データと前記画像の解析結果とを比較して、前記被写体の金券またはクーポン券が使用可能か否かを判断する、
ことを含む情報処理方法。
【請求項９】
コンピュータを、
金券またはクーポン券を被写体に含む画像を取得する画像取得手段、
前記取得した画像を解析する画像解析手段、
使用可能な金券またはクーポン券の照合用データと前記画像の解析結果とを比較して、前記被写体の金券またはクーポン券が使用可能か否かを判断する判断手段、
として機能させるためのプログラム。
【発明の詳細な説明】
【技術分野】
【０００１】
本発明は、店舗で商品の精算業務を支援する技術に関する。
【背景技術】
【０００２】
現在、様々な種類の金券（例えば、商品券やビール券など）や、特定の商品の値引や割引あるいは特定の商品との引き換えといったサービスを受けるためのクーポン券が発行されており、商品の精算処理で金銭の代わりに利用されることがある。
【０００３】
商品の精算処理でこのような金券やクーポン券を利用するための技術の一例が、例えば、下記特許文献１および下記特許文献２に開示されている。下記特許文献１および下記特許文献２には、イメージスキャナなどを用いて有価証券（商品券）の画像を取得し、該画像を解析して商品券の種別を認識する技術が開示されている。
【先行技術文献】
【特許文献】
【０００４】
【特許文献１】特開２０１４−１７４８９４号公報
【特許文献２】特開２００７−３３４６９５号公報
【発明の概要】
【発明が解決しようとする課題】
【０００５】
金券やクーポン券の中には、使用するための条件が設けられているものもある。しかしながら、様々な種類の金券やクーポン券の使用条件を店員が完全に把握することは難しい。そのため、店舗の利用客が金券やクーポン券の利用を希望した場合に、店員がその金券やクーポン券の使用可否をマニュアル等で確認する必要が生じ得る。この場合、レジでの処理時間が長引いて店舗の利用客に悪い印象を与えてしまう可能性がある。
【０００６】
本発明は、上述の課題に鑑みてなされたものであり、その目的は、金券またはクーポン券の使用可否を容易に把握することを可能とする技術を提供することにある。
【課題を解決するための手段】
【０００７】
本発明によれば、
金券またはクーポン券を被写体に含む画像を取得する画像取得手段と、
前記取得した画像を解析する画像解析手段と、
使用可能な金券またはクーポン券の照合用データと前記画像の解析結果とを比較して、前記被写体の金券またはクーポン券が使用可能か否かを判断する判断手段と、
を備える情報処理装置が提供される。
【０００８】
本発明によれば、
コンピュータが、
金券またはクーポン券を被写体に含む画像を取得し、
前記取得した画像を解析し、
使用可能な金券またはクーポン券の照合用データと前記画像の解析結果とを比較して、前記被写体の金券またはクーポン券が使用可能か否かを判断する、
ことを含む情報処理方法が提供される。
【０００９】
本発明によれば、
コンピュータを、
金券またはクーポン券を被写体に含む画像を取得する画像取得手段、
前記取得した画像を解析する画像解析手段、
使用可能な金券またはクーポン券の照合用データと前記画像の解析結果とを比較して、前記被写体の金券またはクーポン券が使用可能か否かを判断する判断手段、
として機能させるためのプログラムが提供される。
【発明の効果】
【００１０】
本発明によれば、金券またはクーポン券の取り扱いを店員が容易に把握できる。
【図面の簡単な説明】
【００１１】
【図１】第１実施形態の情報処理装置の機能構成を概念的に示すブロック図である。
【図２】情報処理装置のハードウエア構成を例示する図である。
【図３】第１実施形態の情報処理装置の処理の流れを示すフローチャートである。
【図４】第２実施形態の情報処理装置の機能構成を概念的に示すブロック図である。
【図５】照合用データ記憶部が記憶する情報の一例を示す図である。
【図６】第２実施形態の情報処理装置の処理の流れを示すフローチャートである。
【図７】画像取得部で取得した画像に含まれる金券またはクーポン券が使用可能である場合に出力部が出力する画面の一例を示す図である。
【図８】画像取得部で取得した画像に含まれる金券またはクーポン券が使用不可能である場合に出力部が出力する画面の一例を示す図である。
【図９】第３実施形態の情報処理装置の機能構成を概念的に示すブロック図である。
【図１０】出力情報記憶部が記憶する情報の一例を示す図である。
【図１１】第３実施形態の情報処理装置の処理の流れを示すフローチャートである。
【図１２】第３実施形態の出力部が出力する画面の一例を示す図である。
【図１３】第４実施形態の情報処理装置の機能構成を概念的に示すブロック図である。
【図１４】条件記憶部が記憶する情報の一例を示す図である。
【図１５】特定商品情報に基づいて金券またはクーポン券の使用可否を判定する処理の流れを示すフローチャートである。
【図１６】使用可能場所情報に基づいて金券またはクーポン券の使用可否を判定する処理の流れを示すフローチャートである。
【図１７】有効期限情報に基づいて金券またはクーポン券の使用可否を判定する処理の流れを示すフローチャートである。
【発明を実施するための形態】
【００１２】
本発明に係る情報処理装置は、商品を販売する店舗内に設置される装置である。このような装置の具体的な例としては、レジカウンタに設置されるＰＯＳ（Point of Sale）端末や、店舗内あるいは店舗外に設置される業務支援用のサーバ装置などが挙げられる。以下の各実施形態において、本発明に係る情報処理装置、該情報処理装置としての役割を果たすコンピュータが実行する情報処理方法、コンピュータを本発明に係る情報処理装置として動作させるプログラムについて、図面を用いて説明する。尚、すべての図面において、同様な構成要素には同様の符号を付し、適宜説明を省略する。また各ブロック図において、特に説明がないかぎり、各ブロックは、ハードウエア単位の構成ではなく機能単位の構成を表す。
【００１３】
［第１実施形態］
〔機能構成〕
図１は、第１実施形態の情報処理装置１０の機能構成を概念的に示すブロック図である。図１に示されるように、本実施形態の情報処理装置１０は、画像取得部１１０、画像解析部１２０、および判断部１３０を備える。
【００１４】
画像取得部１１０は、後述する撮像装置（図示せず）を用いて、金券またはクーポン券を被写体に含む画像を取得する。なお本明細書において、金券とは金銭の代わりに使用できる様々な券を意味する。金券の具体的な例としては、例えば、商品券、ギフト券、グルメカード、お米券、ビール券、図書券、ＱＵＯカード、旅行券、ホテル券、宿泊券、レジャー券などが挙げられる。また本明細書において、クーポン券とは、特定の商品やサービスの値引や割引あるいは特定の商品やサービスとの引き換えといった利益を受ける際に必要となる、様々な券を意味する。このようなクーポン券の具体的な例としては、例えば、商品やサービスの値引や割引を受けるための引換券や、各社から発行される特定商品またはサービスとの引換券などが挙げられる。また、本明細書における金券やクーポン券の範囲には、紙媒体に限らず、例えば電子装置の表示部に表示される電子的な金券またはクーポン券も含まれる。画像解析部１２０は、画像取得部１１０が取得した画像を解析する。判断部１３０は、使用可能な金券またはクーポン券の照合用データと、画像解析部１２０による画像の解析結果とを比較して、被写体の金券またはクーポン券が使用可能か否かを判断する。照合用データは、画像に被写体として含まれる金券またはクーポン券を一意に特定するためのデータ（例えば、画像特徴量データやテキストデータなど）である。本実施形態において、照合用データは、所定の記憶部に予め用意されているものとする。
【００１５】
〔ハードウエア構成〕
情報処理装置１０の各機能構成部は、各機能構成部を実現するハードウエア（例：ハードワイヤードされた電子回路など）で実現されてもよいし、ハードウエアとソフトウエアとの組み合わせ（例：電子回路とそれを制御するプログラムの組み合わせなど）で実現されてもよい。以下、情報処理装置１０の各機能構成部がハードウエアとソフトウエアとの組み合わせで実現される場合について、さらに説明する。
【００１６】
図２は、情報処理装置１０のハードウエア構成を例示する図である。情報処理装置１０は、バス１０１、プロセッサ１０２、メモリ１０３、ストレージ１０４、入出力インタフェース１０５、及び通信インタフェース１０６を有する。バス１０１は、データを送受信するためのデータ伝送路である。プロセッサ１０２、メモリ１０３、ストレージ１０４、入出力インタフェース１０５、及び通信インタフェース１０６は、バス１０１を介して相互にデータを送受信する。但し、プロセッサ１０２などを互いに接続する方法は、バス接続に限定されない。
【００１７】
プロセッサ１０２は、ＣＰＵ（Central Processing Unit）やＧＰＵ（Graphics Processing Unit）などの演算処理装置である。メモリ１０３は、ＲＡＭ（Random Access Memory）やＲＯＭ（Read Only Memory）などのメモリである。ストレージ１０４は、ＨＤＤ（Hard Disk Drive）、ＳＳＤ（Solid State Drive）、又はメモリカードなどの記憶装置である。また、ストレージ１０４は、ＲＡＭやＲＯＭなどのメモリであってもよい。
【００１８】
ストレージ１０４は、情報処理装置１０の上記機能構成部（画像取得部１１０、画像解析部１２０、判断部１３０）を実現するプログラムモジュールを記憶している。プロセッサ１０２は、これら各プログラムモジュールを実行することにより、そのプログラムモジュールに対応する各機能構成部を実現する。ここでプロセッサ１０２は、上記各プログラムモジュールを実行する際、これらのプログラムモジュールをメモリ１０３上に読み出してから実行してもよいし、メモリ１０３上に読み出さずに実行してもよい。
【００１９】
入出力インタフェース１０５は、情報処理装置１０と入出力デバイスとを接続するためのインタフェースである。入出力インタフェース１０５には、例えば、マウス、キーボードなどの入力装置１０５１や、ＣＲＴ（Cathode Ray Tube）ディスプレイやＬＣＤ（Liquid Crystal Display）などの表示装置１０５２、入力装置１０５１と表示装置１０５２が一体化したタッチパネルなどが接続される。また、入出力インタフェース１０５には、金券やクーポン券の画像を生成する撮像装置１０５３が接続される。撮像装置１０５３は、レンズやイメージセンサ（ＣＣＤ（Charge Coupled Device）イメージセンサやＣＭＯＳ（Complementary Metal Oxide Semiconductor）イメージセンサなど）を含んで構成される、所謂カメラである。情報処理装置１０に撮像装置１０５３が組み込まれている場合、この撮像装置１０５３を画像取得部１１０と呼ぶこともできる。また情報処理装置１０が利用される場面に応じて、様々な入出力デバイスが接続される。例えば、情報処理装置１０がレジに設置される所謂レジ端末であると仮定する。この場合、当該情報処理装置１０の入出力インタフェース１０５には、上述の装置に加え、レジ業務に使用する各種周辺機器（例えばハンディスキャナ、自動釣銭機、キャッシュドロア、レシートプリンタなど）が接続される。
【００２０】
通信インタフェース１０６は、情報処理装置１０をインターネットなどの様々なネットワークに接続させて、該ネットワークを介して外部の装置と通信させるためのインタフェースである。通信インタフェース１０６は、例えば店舗内のサーバなどの外部の装置と情報処理装置１０とをネットワークを介して接続する。
【００２１】
なお、情報処理装置１０のハードウエア構成は図２に示した構成に限定されない。例えば、各プログラムモジュールはメモリ１０３に格納されていてもよい。この場合、情報処理装置１０はストレージ１０４を備えていなくてもよい。また、情報処理装置１０は所謂サーバ装置であり、通信インタフェース１０６を介して、入力装置１０５１、表示装置１０５２、又は撮像装置１０５３を備えるクライアント端末とネットワーク越しに接続されていてもよい。
【００２２】
〔動作例〕
図３を用いて、本実施形態の情報処理装置１０の動作例を説明する。図３は、第１実施形態の情報処理装置１０の処理の流れを示すフローチャートである。
【００２３】
まず、画像取得部１１０は、金券またはクーポン券を被写体として含む画像を取得する（Ｓ１０２）。次いで、画像解析部１２０は、画像取得部１１０によって取得された画像を解析する（Ｓ１０４）。具体的には、画像解析部１２０は、周知の画像解析技術を用いて、該画像に含まれる被写体の金券またはクーポン券に関する画像特徴量データを抽出する。また例えば、画像解析部１２０は、ＯＣＲ（Optical Character Recognition）を用いて、被写体の金券やクーポン券の券面に印字されている文字列をテキストデータとして抽出してもよい。画像解析部１２０が抽出するデータの種類は、比較すべき照合用データの種類によって決定される。そして、判断部１３０は、画像の解析結果として得られるデータと、使用可能な金券またはクーポンの種類毎に用意された照合用データとを比較する（Ｓ１０６）。照合用データと比較した結果、被写体の金券またはクーポン券を一意に特定できた場合（Ｓ１０８：ＹＥＳ）、判断部１３０は、その被写体の金券またはクーポン券を使用可能と判断する（Ｓ１１０）。一方、照合用データと比較した結果、被写体の金券またはクーポン券を一意に特定できなかった場合（Ｓ１０８：ＮＯ）、判断部１３０は、その被写体の金券またはクーポン券を使用不可能と判断する（Ｓ１１２）。そして、判断部１３０は、Ｓ１１０またはＳ１１２の判断結果に応じて、被写体の金券またはクーポン券の使用可否を示す情報を出力する（Ｓ１１４）。具体的には、判断部１３０は、被写体の金券またはクーポン券の使用可否を示す情報を情報処理装置１０に接続された表示装置１０５２に出力する。この場合、表示装置１０５２は、判断部１３０から出力された情報を基に、被写体の金券またはクーポン券の使用可否を示す画面を表示領域に表示させる。また、判断部１３０は、被写体の金券またはクーポン券の使用可否を示す情報を情報処理装置１０に接続された印刷装置（図示せず）に出力してもよい。この場合、印刷装置は、判断部１３０から出力された情報を基に、被写体の金券またはクーポン券の使用可否を示す情報を印字用媒体に印字出力する。
【００２４】
〔作用・効果〕
以上、本実施形態では、金券またはクーポン券を被写体として含む画像が解析され、その解析結果と照合用データとが比較される。そして、その比較結果に基づいて、その被写体の金券またはクーポン券の使用可否を示す情報が、例えば、表示装置や印刷装置を介して出力される。
【００２５】
具体的には、商品代金の支払い時に利用客から受け取った金券やクーポン券を店員が撮像装置にかざすことにより、画像取得部１１０でその金券やクーポン券の画像が取得される。そして、取得された画像に含まれる金券またはクーポン券の特徴量データと、使用可能な金券またはクーポン券の種類毎の照合用データとの比較結果に基づいて、被写体の金券またはクーポン券の使用可否を示す情報が表示装置などを介して出力される。
【００２６】
店員は、この出力情報を確認することにより、金券やクーポン券のマニュアルがなくとも、被写体の金券またはクーポン券の使用可否を容易に判断することができる。
【００２７】
［第２実施形態］
本実施形態では、第１実施形態をより詳細に説明する。
【００２８】
〔機能構成〕
図４は、第２実施形態の情報処理装置１０の機能構成を概念的に示すブロック図である。図４に示されるように、本実施形態の情報処理装置１０は、第１実施形態の構成に加え、照合用データ記憶部２００及び出力部１４０を更に有する。
【００２９】
照合用データ記憶部２００は、使用可能な金券またはクーポン券の特徴量データ（照合用データ）を、金券またはクーポンの種類毎に記憶している（例：図５）。図５は、照合用データ記憶部２００が記憶する情報の一例を示す図である。図５に示すように、照合用データ記憶部２００は、金券またはクーポン券の種類毎に個別に割り当てられた識別情報と、その種類の金券またはクーポン券を一意に特定するための特徴量データとを紐付けて記憶している。但し、図５はあくまで一例であり、照合用データ記憶部２００が記憶する情報は図５の例に限定されない。
【００３０】
本実施形態の画像解析部１２０は、画像取得部１１０が取得した画像から、照合用データ記憶部２００に記憶されている特徴量データの種類と同じ種類の特徴量データを抽出する。以下の説明において、画像から抽出された特徴量データを「被照合データ」と表記する場合がある。
【００３１】
本実施形態の判断部１３０は、照合用データ記憶部２００の中に、画像解析部１２０が抽出した特徴量データ（被照合データ）と一致すると推定できる特徴量データが存在するか否かによって、被写体の金券またはクーポン券が使用可能か否かを判断する。ここで「一致すると推定できる」とは、照合用データ記憶部２００の照合用データと画像解析部１２０が抽出した被照合データとを比較した結果として、所定の閾値以上の類似度が得られることを意味する。所定の閾値は、動作テストなどによって調整され、例えば、判断部１３０に予め設定される。
【００３２】
出力部１４０は、判断部１３０の判断結果（被写体の金券またはクーポン券の使用可否の判断結果）に応じて所定の出力を行う。出力部１４０は、例えば、被写体の金券またはクーポン券の使用可否を示す情報を情報処理装置１０に接続された表示装置１０５２に出力する。また、出力部１４０は、被写体の金券またはクーポン券の使用可否を示す情報を印刷装置（図示せず）に出力してもよい。
【００３３】
〔ハードウエア構成〕
本実施形態は、第１実施形態と同様のハードウエア構成（図２）を有する。ストレージ１０４は、本実施形態における情報処理装置１０の上記機能構成部（画像解析部１２０、判断部１３０、出力部１４０）を実現するプログラムモジュールを更に記憶している。プロセッサ１０２は、これら各プログラムモジュールを実行することにより、そのプログラムモジュールに対応する各機能構成部を実現する。またストレージ１０４は、照合用データ記憶部２００としての役割を果たすこともできる。なお、照合用データ記憶部２００は、情報処理装置１０と通信可能に接続された他の装置（図示せず）の記憶装置に設けられていてもよい。
【００３４】
〔動作例〕
図６を用いて、本実施形態の情報処理装置１０の動作例を説明する。図６は、第２実施形態の情報処理装置１０の処理の流れを示すフローチャートである。
【００３５】
まず、画像取得部１１０は、金券またはクーポン券を被写体として含む画像を取得する（Ｓ２０２）。次いで、画像解析部１２０は、画像取得部１１０によって取得された画像から特徴量データ（被照合データ）を抽出する（Ｓ２０４）。ここで抽出される特徴量データ（被照合データ）は、照合用データ記憶部２００に記憶されている特徴量データの種類と同じ種類の特徴量データである。そして、判断部１３０は、抽出した被照合データと照合用データ記憶部２００に記憶されている各特徴量データとを比較し、その類似度を算出する（Ｓ２０６）。そして、判断部１３０は、所定の閾値以上の類似度を示す特徴量データが、照合用データ記憶部２００の中に存在するか否かを判定する（Ｓ２０８）。
【００３６】
所定の閾値以上の類似度を示す特徴量データが照合用データ記憶部２００の中に存在する場合（Ｓ２０８：ＹＥＳ）、判断部１３０は、その特徴量データに紐付けられた識別情報を照合用データ記憶部２００から読み出す（Ｓ２１０）。なお所定の閾値以上の類似度を示す特徴量データが照合用データ記憶部２００の中に複数存在する場合、判断部１３０は、例えば、最も類似度の高い特徴量データに紐付けられた識別情報を照合用データ記憶部２００から読み出せばよい。ここで、照合用データ記憶部２００は、上述したように、使用可能な金券またはクーポン券の特徴量データを、金券またはクーポンの種類毎に記憶している。そのため、Ｓ２１０で判断部１３０により読み出される情報は、被写体の金券またはクーポン券が使用可能であることを示す情報として用いることができる。ここで読み出された情報は、出力部１４０に渡される。
【００３７】
一方、所定の閾値以上の類似度を示す特徴量データが照合用データ記憶部２００の中に存在しない場合（Ｓ２０８：ＮＯ）、判断部１３０は、被写体の金券またはクーポン券が使用不可能であることを示す情報を生成する（Ｓ２１２）。被写体の金券またはクーポン券が使用不可能であることを示す情報は、出力部１４０に渡される。
【００３８】
出力部１４０は、判断部１３０から受け取った情報（判断結果）に応じた出力を行う（Ｓ２１４）。例えば、出力部１４０は、判断部１３０からＳ２１０の情報（被写体の金券またはクーポン券が使用可能であることを示す情報）を受け取った場合、表示装置１０５２に図７に示すような画面を表示させる。図７は、画像取得部１１０で取得した画像に含まれる金券またはクーポン券が使用可能である場合に出力部１４０が出力する画面の一例を示す図である。図７では、図５の「ＡＡ商品券（識別情報：ＣＶ００１）」の特徴量データが、画像から抽出された被照合データと一致すると推定された場合に表示される画面が例示されている。図７で例示されるように、出力部１４０は、判断部１３０から受け取った識別情報を用いて、該識別情報に紐付けられている関連情報（釣銭の有無や有効期限の有無など）を更に出力してもよい。一方、出力部１４０は、判断部１３０からＳ２１２の情報（被写体の金券またはクーポン券が使用不可能であることを示す情報）を受け取った場合、例えば、撮像装置１０５３に図８に示すような画面を表示させる。図８は、画像取得部１１０で取得した画像に含まれる金券またはクーポン券が使用不可能である場合に出力部１４０が出力する画面の一例を示す図である。図８に示されるように、出力部１４０は、画像取得部１１０で取得した画像に被写体として含まれる金券またはクーポン券が使用できないことを通知するメッセージなどを含む画面を表示装置に表示させる。なお、図７および図８の画面はあくまで一例であり、出力部１４０が表示装置に表示させる画面はこれらの例に制限されない。
【００３９】
以上、本実施形態でも、第１実施形態と同様の効果が得られる。
【００４０】
［第３実施形態］
本実施形態の情報処理装置１０は、金券またはクーポン券の使用可否だけではなく、その他の有益な情報を出力する構成を更に備える。
【００４１】
〔機能構成〕
図９は、第３実施形態の情報処理装置１０の機能構成を概念的に示すブロック図である。図９に示されるように、本実施形態の情報処理装置１０は、第２実施形態の構成に加え、出力部１４０、及び出力情報記憶部２０２を更に有する。
【００４２】
出力情報記憶部２０２は、図１０に示すように、出力部１４０が出力すべき様々な情報を金券やクーポン券の種類毎に記憶している。図１０は、出力情報記憶部２０２が記憶する情報の一例を示す図である。図１０の例では、出力情報記憶部２０２は、金券またはクーポン券の識別情報に紐付けて、少なくとも取扱情報および釣銭情報を記憶している。取扱情報は、その金券またはクーポン券の一連の取扱操作を示す情報である。ここで「一連の取扱操作」とは、利用客から使用可能な金券またはクーポン券の提示があった場合に店員が行うべき操作手順のことを意味し、金券やクーポン券の種類毎に定義することができる。釣銭情報は、金券またはクーポン券からの釣銭の払出可否を示す情報である。なお、出力情報記憶部２０２が記憶する情報は図１０の例に限定されない。
【００４３】
本実施形態の出力部１４０は、判断部１３０により使用可能と判断された金券またはクーポン券に紐付けられている取扱情報および釣銭情報を更に出力する。出力部１４０が出力する具体的な内容については後述の動作例で説明する。
【００４４】
〔ハードウエア構成〕
本実施形態は、第１実施形態と同様のハードウエア構成（図２）を有する。ストレージ１０４は、本実施形態における情報処理装置１０の上記機能構成部（出力部１４０）を実現するプログラムモジュールを更に記憶している。プロセッサ１０２は、このプログラムモジュールを実行することにより、そのプログラムモジュールに対応する機能構成部を実現する。またストレージ１０４は、出力情報記憶部２０２としての役割を果たすこともできる。なお、出力情報記憶部２０２は、情報処理装置１０と通信可能に接続された他の装置（図示せず）の記憶装置に設けられていてもよい。
【００４５】
〔動作例〕
図１１を用いて、本実施形態の情報処理装置１０の動作例を説明する。図１１は、第３実施形態の情報処理装置１０の処理の流れを示すフローチャートである。なお以下の説明では、第２実施形態の処理フロー（図６）と異なる部分について主に説明する。
【００４６】
出力部１４０は、Ｓ２１０の処理で判断部１３０が読み出した、金券またはクーポン券の識別情報を用いて、その識別情報に紐付けられた取扱情報および釣銭情報を取得する（Ｓ３０２）。例えば、Ｓ２１０で「ＡＡ商品券（識別情報：ＣＶ００１）」が読み出されたとする。この場合、出力部１４０は、その識別情報に紐付けられた取扱情報「ＯＰ００１」および釣銭情報「釣銭あり」を、出力情報記憶部２０２から読み出す。そしてＳ２１４の処理で、出力部１４０は、Ｓ３０２で読み出した取扱情報および釣銭情報を用いて、例えば図１２に示されるような画面を撮像装置１０５３に表示させる。図１２は、第３実施形態の出力部１４０が出力する画面の一例を示す図である。図１２に例示される画面は、使用可否を示す情報１２０２と共に、釣銭の払出可否を示す情報１２０４、および、金券またはクーポン券の一連の取扱操作を示す情報１２０６を含んでいる。
【００４７】
〔作用・効果〕
以上、本実施形態では、使用可能と判断された金券またはクーポン券に紐付けられた、取扱情報および釣銭情報が更に出力される。取扱情報は、その金券またはクーポン券が利用客から提示された場合に、店員が行うべき操作手順を示す情報である。よって、この取扱情報を参照することにより、レジ端末上で行うべき金券やクーポン券に関する操作を店員が容易に理解できる。また、釣銭情報は、その金券またはクーポン券からの釣銭の払出可否を示す情報である。よって、この釣銭情報を参照することにより、店員が釣銭を払い出すべきか否かを容易に把握することができる。
【００４８】
なお、本実施形態では、操作情報と釣銭情報とを併せて出力する例について説明したが、出力部１４０は、操作情報と釣銭情報のうちのいずれか一方を出力するように構成されていてもよい。この場合、図１２の画面の代わりに、釣銭の払出可否を示す情報、および、金券またはクーポン券の一連の取扱操作を示す情報のいずれか一方を含む画面が、表示装置に出力されることになる。
【００４９】
［第４実施形態］
実際の運用において、店舗で使用可能な金券またはクーポン券であっても、それを使用するための様々な条件が設定されていることがある。本実施形態では、このような様々な条件を考慮して金券やクーポン券の使用可否を判断する構成を更に備える情報処理装置１０について説明する。
【００５０】
〔機能構成〕
図１３は、第４実施形態の情報処理装置１０の機能構成を概念的に示すブロック図である。図１３に示されるように、本実施形態の情報処理装置１０は、第２実施形態の構成に加え、出力部１４０、及び条件記憶部２０４を更に有する。
【００５１】
条件記憶部２０４は、図１４に示すように、金券またはクーポン券の使用条件に関する情報（条件情報）を記憶している。図１４は、条件記憶部２０４が記憶する情報の一例を示す図である。図１４の例において、条件記憶部２０４は、特定商品情報、使用可能場所情報、及び有効期限情報を少なくとも記憶している。特定商品情報は、金券またはクーポン券を使用する場合に必要な特定の商品または特定の商品分類を示す情報である。使用可能場所情報は、金券またはクーポン券を使用可能な場所（フロア、売場、店舗、特定のレジ装置など）を示す情報である。有効期限情報は、金券またはクーポン券の有効期限を示す情報である。なお、条件記憶部２０４が記憶する情報は、図１４の例に限定されない。
【００５２】
本実施形態の判断部１３０は、後述するように、条件記憶部２０４に記憶されている各種条件情報を更に用いて、画像取得部１１０により取得された画像に含まれる被写体の金券またはクーポン券の使用可否を判断する。
【００５３】
判断部１３０は、画像取得部１１０によって取得された画像に被写体として含まれる金券またはクーポン券に紐付けられた特定商品情報と、精算対象として登録されている商品の情報を含む精算情報とに基づいて、その金券またはクーポン券が使用可能か否かを判断できる。精算情報には、例えば、商品ＩＤ、商品の分類、商品の名称、商品価格といった、精算対象の商品に関する各種情報が含まれる。精算情報は、例えば次のように生成される。まず、レジ端末に備えられているハンディスキャナや画像認識装置などを用いて、商品が認識される。そして、認識された商品に関する各種情報が読み出される。商品に関する各種情報は、例えば、図示しない商品マスタに記憶されている。読み出された商品に関する情報は、例えばストレージ１０４などの所定の記憶部などに格納される。そして、１つの取引の区切りを示す操作（例えば、「小計」キーの押下など）がレジ端末で実行されることにより、当該所定の記憶部に格納された商品に関する情報が一塊の精算情報として定義される。判断部１３０は、被写体として画像に含まれる金券またはクーポン券の種類（例えば、金券またはクーポン券の識別情報）を各照合用データとの比較結果に基づいて特定すると、その金券またクーポン券に紐付けられている特定商品情報を取得する。このとき、判断部１３０は、所定の記憶部に格納されている精算情報を併せて取得する。そして、判断部１３０は、特定された金券またはクーポン券の種類に紐付けられている特定商品情報が示す商品、または、その特定商品情報が示す商品分類に属する商品が、取得した精算情報に含まれる商品の中に存在するか否かによって、その金券またはクーポン券が使用可能か否かを判断する。
【００５４】
また、判断部１３０は、画像取得部１１０によって取得された画像に被写体として含まれる金券またはクーポン券に紐付けられた使用可能場所情報と、情報処理装置１０の設置場所を特定可能な場所特定情報とに基づいて、その金券またはクーポン券が使用可能か否かを判断できる。場所特定情報は、情報処理装置１０が設置されている場所（フロア、売場、店舗など）を示す情報を含む。なお特定のレジ装置を示す情報（例えば端末ＩＤなど）が使用可能場所情報として紐付けられている場合は、場所特定情報は情報処理装置１０の装置ＩＤといった情報であってもよい。この場合、情報処理装置１０が、金券またはクーポン券の使用可否を端末単位で判断できる。場所特定情報は、例えば、ストレージ１０４などに予め格納されている。判断部１３０は、被写体として画像に含まれる金券またはクーポン券の種類（例えば、金券またはクーポン券の識別情報）を各照合用データとの比較結果に基づいて特定すると、その金券またクーポン券に紐付けられている使用可能場所情報を取得する。このとき、判断部１３０は、ストレージ１０４などに予め格納されている場所特定情報を併せて取得する。そして、判断部１３０は、特定された金券またはクーポン券の種類に紐付けられている使用可能場所情報が示す場所の中に、取得した場所特定情報により特定される場所が含まれるか否かによって、その金券またはクーポン券が使用可能か否かを判断する。
【００５５】
また判断部１３０は、画像取得部１１０によって取得された画像に含まれる被写体の金券またはクーポン券に紐付けられた有効期限情報に基づいて、その金券またはクーポン券が使用可能か否かを判断できる。具体的には、被写体として画像に含まれる金券またはクーポン券の種類（例えば、金券またはクーポン券の識別情報）を各照合用データとの比較結果に基づいて特定すると、その金券またはクーポン券に紐付けられている有効期限情報を取得する。このとき、判断部１３０は、現在時刻（例えば、判断処理の実行時刻または画像取得時刻など）を併せて取得する。そして、判断部１３０は、取得した有効期限情報が示す有効期限と現在時刻とを比較し、取得した現在時刻が有効期限内であれば、被写体の金券またはクーポン券を使用可能と判断する。
【００５６】
〔ハードウエア構成〕
本実施形態は、第１実施形態と同様のハードウエア構成（図２）を有する。ストレージ１０４は、本実施形態における情報処理装置１０の上記機能構成部（判断部１３０）を実現するプログラムモジュールを更に記憶している。プロセッサ１０２は、このプログラムモジュールを実行することにより、そのプログラムモジュールに対応する機能構成部を実現する。またストレージ１０４は、条件記憶部２０４としての役割を果たすこともできる。なお、条件記憶部２０４、情報処理装置１０と通信可能に接続された他の装置（図示せず）の記憶装置に設けられていてもよい。
【００５７】
〔動作例〕
図１５乃至図１７を用いて、本実施形態の情報処理装置１０の動作例を説明する。なお、以下では、特定商品情報、使用可能場所情報、有効期限情報の順に判定を行う例を示すが、判定の順番は任意であり、この例に限定されない。
【００５８】
図１５は、特定商品情報に基づいて金券またはクーポン券の使用可否を判定する処理の流れを示すフローチャートである。図１５で説明する処理は、Ｓ２１０の処理の後に実行される。
【００５９】
判断部１３０は、Ｓ２１０で読み出した識別情報に、特定商品情報が紐付けられているか否かを判定する（Ｓ４０２）。Ｓ２１０で読み出した識別情報に、特定商品情報が紐付けられていない場合（Ｓ４０２：ＮＯ）、図１５の以下の処理は実行されず、後述の図１６の処理が実行される。一方、Ｓ２１０で読み出した識別情報に、特定商品情報が紐付けられている場合（Ｓ４０２：ＹＥＳ）、判断部１３０は、その特定商品情報と、所定の記憶部に格納されている精算情報とを取得する（Ｓ４０４）。そして、判断部１３０は、特定商品情報に基づく金券またはクーポン券の使用条件を満たしているか否かを判定する（Ｓ４０６）。具体的には、特定商品情報が示す商品、または、特商品情報が示す分類に属する商品が、精算情報に含まれる商品の中に存在するか否かを判定する。特定商品情報に基づく金券またはクーポン券の使用条件を満たす場合（Ｓ４０６：ＹＥＳ）、後述の図１６の処理が実行される。一方、特定商品情報に基づく金券またはクーポン券の使用条件を満たさない場合（Ｓ４０６：ＮＯ）、金券またはクーポン券は使用不可能と判断され（Ｓ４０８）、使用不可能の通知を含む出力情報が出力部１４０から出力される（Ｓ２１４）。
【００６０】
図１６は、使用可能場所情報に基づいて金券またはクーポン券の使用可否を判定する処理の流れを示すフローチャートである。
【００６１】
判断部１３０は、Ｓ２１０で読み出した識別情報に、使用可能場所情報が紐付けられているか否かを判定する（Ｓ５０２）。Ｓ２１０で読み出した識別情報に、使用可能場所情報が紐付けられていない場合（Ｓ５０２：ＮＯ）、図１６の以下の処理は実行されず、後述の図１７の処理が実行される。一方、Ｓ２１０で読み出した識別情報に、使用可能場所情報が紐付けられている場合（Ｓ５０２：ＹＥＳ）、判断部１３０は、その使用可能場所情報と、ストレージ１０４などに格納されている場所特定情報とを取得する（Ｓ５０４）。そして、判断部１３０は、使用可能場所情報に基づく金券またはクーポン券の使用条件を満たしているか否かを判定する（Ｓ５０６）。具体的には、使用可能場所情報が示す場所の中に、場所特定情報により特定される場所が含まれるか否かを判定する。使用可能場所情報に基づく金券またはクーポン券の使用条件を満たす場合（Ｓ５０６：ＹＥＳ）、後述の図１７の処理が実行される。一方、使用可能場所情報に基づく金券またはクーポン券の使用条件を満たさない場合（Ｓ５０６：ＮＯ）、金券またはクーポン券は使用不可能と判断され（Ｓ５０８）、使用不可能の通知を含む出力情報が出力部１４０から出力される（Ｓ２１４）。
【００６２】
図１７は、有効期限情報に基づいて金券またはクーポン券の使用可否を判定する処理の流れを示すフローチャートである。
【００６３】
判断部１３０は、Ｓ２１０で読み出した識別情報に、有効期限情報が紐付けられているか否かを判定する（Ｓ６０２）。Ｓ２１０で読み出した識別情報に、有効期限情報が紐付けられていない場合（Ｓ６０２：ＮＯ）、図１７の以下の処理は実行されず、その金券またはクーポン券は使用可能と判断され（Ｓ６０８）、使用可能の通知を含む出力情報が出力部１４０から出力される（Ｓ２１４）。一方、Ｓ２１０で読み出した識別情報に、有効期限情報が紐付けられている場合（Ｓ６０２：ＹＥＳ）、判断部１３０は、その有効期限情報と、現在時刻（例えば、判断処理の実行時刻または画像を取得した時刻など）とを取得する（Ｓ６０４）。そして、判断部１３０は、有効期限情報に基づく金券またはクーポン券の使用条件を満たしているか否かを判定する（Ｓ６０６）。具体的には、判断部１３０は、取得した現在時刻が、有効期限情報が示す有効期限の範囲内か否かを判定する。有効期限情報に基づく金券またはクーポン券の使用条件を満たす場合（Ｓ６０６：ＹＥＳ）、その金券またはクーポン券は使用可能と判断され（Ｓ６０８）、使用可能の通知を含む出力情報が出力部１４０から出力される（Ｓ２１４）。一方、利用期限情報に基づく金券またはクーポン券の使用条件を満たさない場合（Ｓ６０６：ＮＯ）、その金券またはクーポン券は使用不可能と判断され（Ｓ６１０）、使用不可能の通知を含む出力情報が出力部１４０から出力される（Ｓ２１４）。
【００６４】
〔作用・効果〕
以上、本実施形態では、金券またはクーポン券にそれぞれ設定された各種条件を更に考慮してその金券またはクーポン券の使用可否が判断され、その判断結果が出力される。これにより、店員は、店舗の利用客より提示された金券またはクーポン券の使用可否をより正確に把握することができる。
【００６５】
以上、図面を参照して本発明の実施形態について述べたが、これらは本発明の例示であり、上記以外の様々な構成を採用することもできる。
【００６６】
例えば、上述の各実施形態において、情報処理装置１０はレジカウンタに設置されるＰＯＳ）端末や、業務支援用のサーバ装置を想定した例を記載したが、情報処理装置１０は、店内に設置された利用客用の情報端末などであってもよい。この場合、店舗の利用客が、その情報処理装置１０に設けられた撮像装置（画像取得部１１０）に金券またはクーポン券をかざすことにより、その金券またはクーポン券を含む画像が取得される（画像取得部１１０）。そして、取得された画像が解析される（画像解析部１２０）。そして、その画像解析結果と照合用データと比較することにより、その金券またはクーポン券の使用可否が判断される（判断部１３０）。そして、その金券またはクーポン券の使用可否を示す情報が、その利用端末の表示装置に出力される（出力部１４０）。これにより、店舗の利用客は、自身が所持する金券またはクーポン券の使用可否を容易に把握することができる。結果として、金券またはクーポン券の使用可否が分からないことで、店舗の利用客がその金券またはクーポン券の使用を躊躇してしまうといった問題を解消し、利用客の満足度の向上効果が期待できる。
【００６７】
また、上述の説明で用いた複数のフローチャートでは、複数の工程（処理）が順番に記載されているが、各実施形態で実行される工程の実行順序は、その記載の順番に制限されない。各実施形態では、図示される工程の順番を内容的に支障のない範囲で変更することができる。また、上述の各実施形態は、内容が相反しない範囲で組み合わせることができる。
【００６８】
以下、参考形態の例を付記する。
１．
金券またはクーポン券を被写体に含む画像を取得する画像取得手段と、
前記取得した画像を解析する画像解析手段と、
使用可能な金券またはクーポン券の照合用データと前記画像の解析結果とを比較して、前記被写体の金券またはクーポン券が使用可能か否かを判断する判断手段と、
を備える情報処理装置。
２．
前記画像解析手段は、
前記取得した画像の特徴量を抽出し、
前記判断手段は、
使用可能な金券またはクーポン券の特徴量を前記照合用データとして記憶する記憶手段の中に前記抽出した特徴量と一致すると推定できる特徴量が存在するか否かによって、前記被写体の金券またはクーポン券が使用可能か否かを判断する、
１．に記載の情報処理装置。
３．
前記金券またはクーポン券には、その金券またはクーポン券の一連の取扱操作を示す取扱情報が紐付けられており、
前記情報処理装置は、
前記被写体の金券またはクーポン券が使用可能と判断された場合、その金券またはクーポン券に紐付けられた取扱情報を出力する出力手段を更に備える、
１．または２．に記載の情報処理装置。
４．
前記金券またはクーポン券には、釣銭の払出可否を示す釣銭情報が紐付けられており、
前記情報処理装置は、
前記被写体の金券またはクーポン券が使用可能と判断された場合、その金券またはクーポン券に紐付けられた釣銭情報を出力する出力手段を更に備える、
１．から３．のいずれか１つに記載の情報処理装置。
５．
金券またはクーポン券には、特定の商品または特定の商品分類を示す特定商品情報が紐付けられており、
前記判断手段は、
前記被写体の金券またはクーポン券に紐付けられた特定商品情報と、精算対象として登録されている商品の情報を含む精算情報とを更に取得し、
前記取得した特定商品情報が示す商品または前記取得した特定商品情報が示す商品分類に属する商品が、前記取得した精算情報に含まれる商品の中に存在するか否かによって、前記被写体の金券またはクーポン券が使用可能か否かを判断する、
１．から４．のいずれか１つに記載の情報処理装置。
６．
金券またはクーポン券には、その金券またはクーポン券を使用可能な場所を示す使用可能場所情報が紐付けられており、
前記判断手段は、
前記被写体の金券またはクーポン券に紐付けられた使用可能場所情報と、前記情報処理装置の設置場所を特定可能な場所特定情報とを更に取得し、
前記被写体の金券またはクーポン券に紐付けられた使用可能場所情報が示す場所の中に、前記場所特定情報により特定される場所が含まれるか否かによって、当該被写体の金券またはクーポン券が使用可能か否かを判断する、
１．から４．のいずれか１つに記載の情報処理装置。
７．
金券またはクーポン券には、有効期限を示す有効期限情報が紐付けられており、
前記判断手段は、
前記被写体の金券またはクーポン券に紐付けられた有効期限情報に基づいて、前記被写体の金券またはクーポン券が使用可能か否かを判断する、
１．から５．のいずれか１つに記載の情報処理装置。
８．
コンピュータが、
金券またはクーポン券を被写体に含む画像を取得し、
前記取得した画像を解析し、
使用可能な金券またはクーポン券の照合用データと前記画像の解析結果とを比較して、前記被写体の金券またはクーポン券が使用可能か否かを判断する、
ことを含む情報処理方法。
９．
前記コンピュータが
前記取得した画像の特徴量を抽出し、
使用可能な金券またはクーポン券の特徴量を前記照合用データとして記憶する記憶手段の中に前記抽出した特徴量と一致すると推定できる特徴量が存在するか否かによって、前記被写体の金券またはクーポン券が使用可能か否かを判断する、
ことを更に含む８．に記載の情報処理方法。
１０．
前記金券またはクーポン券には、その金券またはクーポン券の一連の取扱操作を示す取扱情報が紐付けられており、
前記コンピュータが、
前記被写体の金券またはクーポン券が使用可能と判断された場合、その金券またはクーポン券に紐付けられた取扱情報を出力する、
ことを更に含む８．または９．に記載の情報処理方法。
１１．
前記金券またはクーポン券には、釣銭の払出可否を示す釣銭情報が紐付けられており、
前記コンピュータが、
前記被写体の金券またはクーポン券が使用可能と判断された場合、その金券またはクーポン券に紐付けられた釣銭情報を出力する、
ことを更に含む８．から１０．のいずれか１つに記載の情報処理方法。
１２．
金券またはクーポン券には、特定の商品または特定の商品分類を示す特定商品情報が紐付けられており、
前記コンピュータが、
前記被写体の金券またはクーポン券に紐付けられた特定商品情報と、精算対象として登録されている商品の情報を含む精算情報とを更に取得し、
前記取得した特定商品情報が示す商品または前記取得した特定商品情報が示す商品分類に属する商品が、前記取得した精算情報に含まれる商品の中に存在するか否かによって、前記被写体の金券またはクーポン券が使用可能か否かを判断する、
ことを更に含む８．から１１．のいずれか１つに記載の情報処理方法。
１３．
金券またはクーポン券には、その金券またはクーポン券を使用可能な場所を示す使用可能場所情報が紐付けられており、
前記コンピュータが、
前記被写体の金券またはクーポン券に紐付けられた使用可能場所情報と、前記情報処理装置の設置場所を特定可能な場所特定情報とを更に取得し、
前記被写体の金券またはクーポン券に紐付けられた使用可能場所情報が示す場所の中に、前記場所特定情報により特定される場所が含まれるか否かによって、当該被写体の金券またはクーポン券が使用可能か否かを判断する、
ことを更に含む８．から１２．のいずれか１つに記載の情報処理方法。
１４．
金券またはクーポン券には、有効期限を示す有効期限情報が紐付けられており、
前記コンピュータが、
前記被写体の金券またはクーポン券に紐付けられた有効期限情報に基づいて、前記被写体の金券またはクーポン券が使用可能か否かを判断する、
ことを更に含む８．から１３．のいずれか１つに記載の情報処理方法。
１５．
コンピュータを、
金券またはクーポン券を被写体に含む画像を取得する画像取得手段、
前記取得した画像を解析する画像解析手段、
使用可能な金券またはクーポン券の照合用データと前記画像の解析結果とを比較して、前記被写体の金券またはクーポン券が使用可能か否かを判断する判断手段、
として機能させるためのプログラム。
１６．
前記コンピュータを、
前記取得した画像の特徴量を抽出する手段、
使用可能な金券またはクーポン券の特徴量を前記照合用データとして記憶する記憶手段の中に前記抽出した特徴量と一致すると推定できる特徴量が存在するか否かによって、前記被写体の金券またはクーポン券が使用可能か否かを判断する手段、
として更に機能させるための１５．に記載のプログラム。
１７．
前記金券またはクーポン券には、その金券またはクーポン券の一連の取扱操作を示す取扱情報が紐付けられており、
前記コンピュータを、
前記被写体の金券またはクーポン券が使用可能と判断された場合、その金券またはクーポン券に紐付けられた取扱情報を出力する出力手段、
として更に機能させるための１５．または１６．に記載のプログラム。
１８．
前記金券またはクーポン券には、釣銭の払出可否を示す釣銭情報が紐付けられており、
前記コンピュータを、
前記被写体の金券またはクーポン券が使用可能と判断された場合、その金券またはクーポン券に紐付けられた釣銭情報を出力する出力手段、
として更に機能させるための１５．から１７．のいずれか１つに記載のプログラム。
１９．
金券またはクーポン券には、特定の商品または特定の商品分類を示す特定商品情報が紐付けられており、
前記コンピュータを、
前記被写体の金券またはクーポン券に紐付けられた特定商品情報と、精算対象として登録されている商品の情報を含む精算情報とを更に取得する手段、
前記取得した特定商品情報が示す商品または前記取得した特定商品情報が示す商品分類に属する商品が、前記取得した精算情報に含まれる商品の中に存在するか否かによって、前記被写体の金券またはクーポン券が使用可能か否かを判断する手段、
として更に機能させるための１５．から１８．のいずれか１つに記載のプログラム。
２０．
金券またはクーポン券には、その金券またはクーポン券を使用可能な場所を示す使用可能場所情報が紐付けられており、
前記コンピュータを、
前記被写体の金券またはクーポン券に紐付けられた使用可能場所情報と、前記情報処理装置の設置場所を特定可能な場所特定情報とを更に取得する手段、
前記被写体の金券またはクーポン券に紐付けられた使用可能場所情報が示す場所の中に、前記場所特定情報により特定される場所が含まれるか否かによって、当該被写体の金券またはクーポン券が使用可能か否かを判断する手段、
として更に機能させるための１５．から１９．のいずれか１つに記載のプログラム。
２１．
金券またはクーポン券には、有効期限を示す有効期限情報が紐付けられており、
前記コンピュータを、
前記被写体の金券またはクーポン券に紐付けられた有効期限情報に基づいて、前記被写体の金券またはクーポン券が使用可能か否かを判断する手段、
として機能させるための１５．から２０．のいずれか１つに記載のプログラム。
【符号の説明】
【００６９】
１０  情報処理装置
１０１  バス
１０２  プロセッサ
１０３  メモリ
１０４  ストレージ
１０５  入出力インタフェース
１０５１  入力装置
１０５２  表示装置
１０５３  撮像装置
１０６  通信インタフェース
１１０  画像取得部
１２０  画像解析部
１３０  判断部
１４０  出力部
２００  照合用データ記憶部
２０２  出力情報記憶部
２０４  条件記憶部
【図１】
2017157005.tif 000003
【図２】
2017157005.tif 000004
【図３】
2017157005.tif 000005
【図４】
2017157005.tif 000006
【図５】
2017157005.tif 000007
【図６】
2017157005.tif 000008
【図７】
2017157005.tif 000009
【図８】
2017157005.tif 000010
【図９】
2017157005.tif 000011
【図１０】
2017157005.tif 000012
【図１１】
2017157005.tif 000013
【図１２】
2017157005.tif 000014
【図１３】
2017157005.tif 000015
【図１４】
2017157005.tif 000016
【図１５】
2017157005.tif 000017
【図１６】
2017157005.tif 000018
【図１７】
2017157005.tif 000019